(57)【要約】【課題】複数の同軸ケーブルのグラウンド導体を連結するグラウンド連結部材とグラウンドコンタクトとの電気的接続を、特殊なグラウンド連結部材等を必要とすることなく容易かつ確実に行えて、製造コストが嵩む事態を回避できるコネクタ装置を提供する。【解決手段】リセプタクルコネクタ４１の嵌合凹部４４に嵌合する嵌合凸部１４を形成する絶縁ハウジング１２, シグナルコンタクト，グラウンドコンタクト１７，シグナルコンタクトに接続されるシグナル導体を有した複数の同軸ケーブル３０のグラウンド導体３２を連結するグラウンド連結部材３３、及び、絶縁ハウジング１２により保持された帯状部１９を有してグラウンド連結部材３３との電気的接続がなされる導電性シェル１８とを備え、導電性シェル１８が、帯状部１９から絶縁ハウジング１２の外部へと突出してグラウンドコンタクト１７に電気的に接続される接続片部２２を有する。【選択図】図１１
2011003393.tif 000002
【特許請求の範囲】
【請求項１】
リセプタクルコネクタに設けられた嵌合凹部に挿入されるべく、第１の方向に伸びる嵌合凸部を形成する絶縁ハウジングと、
各々が上記嵌合凸部に配される接触部を有するものとされて上記第１の方向に配列配置され、複数の同軸ケーブルのシグナル導体が夫々接続されて、上記接触部が上記リセプタクルコネクタに配されたリセプタクル側シグナルコンタクトに接触するものとされる複数のシグナルコンタクトと、
上記嵌合凸部に配される接触部を有するものとされ、該接触部が上記リセプタクルコネクタに配されたリセプタクル側グラウンドコンタクトに接触するものとされるグラウンドコンタクトと、
上記複数のシグナルコンタクトに夫々接続されるシグナル導体を有した複数の同軸ケーブルのグラウンド導体を電気的に連結するグラウンド連結部材と、
上記絶縁ハウジングにインサート成形により部分的に埋め込まれ、該絶縁ハウジングにより保持されて上記第１の方向に伸びる帯状部を有し、上記グラウンド連結部材との電気的接続がなされる導電性シェルと、
を備えて成り、
上記導電性シェルが、上記帯状部における上記第１の方向に沿う一対の対向側縁部のうちの一方であって上記絶縁ハウジングに埋め込まれる部分を有する側縁部から上記絶縁ハウジングの外部へと突出するものとして形成され、上記グラウンドコンタクトに電気的に接続される接続片部を有することを特徴とするコネクタ装置。
【請求項２】
上記導電性シェルが、上記接続片部を上記絶縁ハウジングが形成する上記嵌合凸部の上記第１の方向における略中央部分に対応する位置に配されるものとして有することを特徴とする請求項１記載のコネクタ装置。
【請求項３】
上記導電性シェルが、上記帯状部における上記一対の対向側縁部の他方である側縁部から屈曲して伸び、上記第１の方向に広がる屈曲部を有することを特徴とする請求項１記載のコネクタ装置。
【請求項４】
上記グラウンドコンタクトが、上記絶縁ハウジングが形成される際に、該絶縁ハウジングに上記導電性シェルと共にインサート成形により配置されることを特徴とする請求項１記載のコネクタ装置。
【請求項５】
上記絶縁ハウジング，複数のシグナルコンタクト，グラウンドコンタクト，グラウンド連結部材及び導電性シェルを部分的に覆う導電性カバーを備え、該導電性カバーに上記グラウンド連結部材及び上記導電性シェルが電気的に接続されることを特徴とする請求項１記載のコネクタ装置。
【発明の詳細な説明】
【技術分野】
【０００１】
本願の特許請求の範囲に記載された発明は、複数の同軸ケーブルが連結されて、ソリッド配線基板等に設置されたリセプタクルコネクタに差込接続される、プラグコネクタとして用いられるコネクタ装置に関する。
【背景技術】
【０００２】
複数の比較的細い同軸ケーブルを、各種の電気部品が取り付けられるソリッド配線基板に接続するにあたっては、複数の同軸ケーブルが連結されるプラグコネクタと、ソリッド配線基板との電気的接続がなされ、プラグコネクタが差込接続されるリセプタクルコネクタと、が用いられることが多い。
【０００３】
このような場合、プラグコネクタは、その全体もしくはそれに設けられた嵌合凸部がリセプタクルコネクタに設けられた嵌合凹部との嵌合状態におかれる絶縁ハウジングを備え、その絶縁ハウジンングに、当該プラグコネクタに連結される複数の同軸ケーブルの夫々におけるシグナル導体（内部導体）との電気的接続がなされる複数のシグナルコンタクトと、当該複数の同軸ケーブルの夫々におけるグラウンド導体（外部導体）との電気的接続がなされるグラウンドコンタクトとが配されるものとされる。斯かるプラグコネクタは、絶縁ハウジング，複数のシグナルコンタクト及びグラウンドコンタクトを部分的に覆い、グラウンド電位が与えられるものとされる、導電性カバーを備えることが多い。
【０００４】
そして、プラグコネクタの絶縁ハウジングの全体もしくは絶縁ハウジングに設けられた嵌合凸部が、リセプタクルコネクタに設けられた嵌合凹部との嵌合状態におかれるとき、複数のシグナルコンタクトが、リセプタクルコネクタ側の複数のシグナルコンタクトに夫々接触接続され、また、グラウンドコンタクトが、リセプタクルコネクタ側のグラウンドコンタクトに接触接続される。それにより、プラグコネクタに連結された複数の同軸ケーブルの夫々におけるシグナル導体が、リセプタクルコネクタが電気的に接続されたソリッド配線基板におけるシグナル端子に、プラグコネクタ及びリセプタクルコネクタを介して接続され、また、プラグコネクタに連結された複数の同軸ケーブルの夫々におけるグラウンド導体が、リセプタクルコネクタが電気的に接続されたソリッド配線基板におけるグラウンド端子に、プラグコネクタ及びリセプタクルコネクタを介して接続される。
【０００５】
このようなプラグコネクタにおいて、それに連結された複数の同軸ケーブルの夫々におけるグラウンド導体とグラウンドコンタクトとの電気的接続をなすにあたっては、複数の同軸ケーブルの夫々におけるグラウンド導体を電気的に連結する、複数の同軸ケーブルに対して共通のグラウンド連結部材を用い、そのグラウンド連結部材をグラウンドコンタクトに電気的に接続するようにされる。グラウンド連結部材による複数の同軸ケーブルのグラウンド導体についての電気的連結は、例えば、複数の同軸ケーブルにそれらの夫々におけるグラウンド導体が露出する部分が特定の方向に配列配置される状態をとらせ、それにより配列配置された複数のグラウンド導体に特定の方向に伸びるグラウンド連結部材を共通に接触接続させることにより、容易に行われる。一方、複数の同軸ケーブルの夫々におけるグラウンド導体を連結したグラウンド連結部材をグラウンドコンタクトに電気的に接続するにあたっては、従来、下記のような手法が見られる。
【０００６】
従来における、グラウンド連結部材をグラウンドコンタクトに電気的に接続する手法の一つにあっては、グラウンド連結部材にそれから突出する接続端子部が設けられ、その接続端子部とグラウンドコンタクトとの位置合せが行われて、接続端子部とグラウンドコンタクトとが電気的に接続される（例えば、特許文献１参照。）。また、従来における、グラウンド連結部材をグラウンドコンタクトに電気的に接続する手法の他の一つにあっては、グラウンド連結部材に接触接続する導電性シェルが設けられ、その導電性シェルに、リセプタクルコネクタ側の導電性カバーに設けられたグラウンドコンタクトに接触接続されるグラウンドコンタクトが形成されることにより、実質的にグラウンド連結部材とグラウンドコンタクトとの電気的接続が達成される（例えば、特許文献２参照。）。
【０００７】
上述の特許文献１に開示されている、従来提案されているグラウンド連結部材をグラウンドコンタクトに電気的に接続する手法の一つが採用されたプラグコネクタ(10)にあっては、絶縁ハウジング（ハウジング11) に、配列配置された複数のシグナルコンタクト（信号コンタクト1)とグラウンドコンタクト（グランドコンタクト2)とグラウンド連結部材（グランドバー4)とが配されている。そして、グラウンド連結部材における長手方向（複数のシグナルコンタクトの配列方向）の中央部に、それから突出する接続端子部（コンタクト用接続端子４a)が形成されていて、その接続端子部がグラウンドコンタクトに半田付け固定される。それにより、グラウンド連結部材がグラウンドコンタクトに電気的に接続された状態が得られる。
【０００８】
また、上述の特許文献２に開示されている、従来提案されているグラウンド連結部材をグラウンドコンタクトに電気的に接続する手法の他の一つが採用されたプラグコネクタ(8) にあっては、絶縁ハウジング（雄ハウジング9)に、配列配置された複数のシグナルコンタクト（雄コンタクト11) と導電性シェル（グランドフレーム12) とグラウンド連結部材（グランドバー4)が配される。グラウンド連結部材は、予め複数の同軸ケーブル（シールド電線3)に組み付けられたものとされて、同軸ケーブルと共に絶縁ハウジングに配される。導電性シェルには、それにおける長手方向（複数のシグナルコンタクトの配列方向）の中央部に、それから突出するグラウンドコンタクト（雄型突出片26) が形成されている。
【０００９】
グラウンドコンタクトは、プラグコネクタ(8) がリセプタクルコネクタ（レセプタクルコネクタ14) との嵌合状態におかれるとき、リセプタクルコネクタ側の導電性カバー（シュラウド16) に設けられたグラウンドコンタクト（雌型突出片39) に接触接続されるものとされ、斯かるグラウンドコンタクトが形成された導電性シェルがグラウンド連結部材と電気的に接続される。それにより、グラウンド連結部材がグラウンドコンタクトに電気的に接続された状態が得られる。
【先行技術文献】
【特許文献】
【００１０】
【特許文献１】特開２００７−１５７５９４号公報（第４〜５頁、図４〜７）
【特許文献２】特開２００８−９７８７５号公報（第５〜８頁、図２〜５，７）
【発明の概要】
【発明が解決しようとする課題】
【００１１】
上述の特許文献１に示されるような、グラウンド連結部材における複数のシグナルコンタクトの配列方向における中央部に、それから突出する接続端子部が形成されていて、その接続端子部がグラウンドコンタクトに半田付け固定されることにより、グラウンド連結部材がグラウンドコンタクトに電気的に接続された状態が得られる、従来提案されているプラグコネクタにあっては、複数の同軸ケーブルの夫々におけるグラウンド導体を電気的に連結するグラウンド連結部材として、その長手方向の中央部にそれから突出する接続端子部が形成された特殊なものが必要とされる。それゆえ、特殊なグラウンド連結部材の調達のための製造コストが嵩むことになってしまう。
【００１２】
また、昨今、上述のようなプラグコネクタに対する要求度合が大である事柄として、複数のシグナルコンタクト及びグラウンドコンタクトについての狭ピッチ化が挙げられる。このような要求に応じて複数のシグナルコンタクト及びグラウンドコンタクトについての狭ピッチ化が図られた、特許文献１に示されるようなプラグコネクタにおいては、特殊なグラウンド連結部材の長手方向の中央部から突出する接続端子部を、絶縁ハウジングに配されたグラウンドコンタクトに半田付けするにあたり、接続端子部とグラウンドコンタクトとの両者に極めて高い寸法精度が求められ、さらには、接続端子部とグラウンドコンタクトとの正確な位置合せ及びその後の位置ズレ防止のための作業も必要とされることになり、これらが、作業工程を増加させるとともに、製造コストが嵩んでしまう要因となるという不都合がある。
【００１３】
また、上述の特許文献２に示されるような、グラウンド連結部材に接触接続する導電性シェルが設けられ、その導電性シェルに、リセプタクルコネクタ側の導電性カバーに設けられたグラウンドコンタクトに接触接続されるグラウンドコンタクトが形成されることにより、実質的にグラウンド連結部材とグラウンドコンタクトとの電気的接続が達成される、従来提案されているプラグコネクタにあっては、導電性シェルに形成されたグラウンドコンタクトをリセプタクルコネクタ側の導電性カバーに設けられたグラウンドコンタクトに接触接続させるにあたり、その接触接続を確実にすべく、導電性シェルに形成されたグラウンドコンタクトを弾性を有していて、接触相手に対して弾性押圧力を作用させるものとする必要がある。このような、接触接続される際に接触相手に弾性押圧力を作用させるグラウンドコンタクトは、弾性を活かすための形状と比較的大なる寸法と周囲スペースとを必要とし、それにより、プラグコネクタ全体の大型化がまねかれることになってしまうという不都合を生じる。
【００１４】
斯かる点に鑑み、本願の特許請求の範囲に記載された発明は、複数のシグナルコンタクト及びグラウンドコンタクトが配列配置された絶縁ハウジングと絶縁ハウジングに配される複数の同軸ケーブルの夫々におけるグラウンド導体を電気的に連結するグラウンド連結部材とを備え、その絶縁ハウジングの全体もしくはそれに設けられた嵌合凸部が、リセプタクルコネクタに設けられた嵌合凹部に挿入されて、その嵌合凹部内において、複数のシグナルコンタクトがリセプタクルコネクタにおける複数のリセプタクル側シグナルコンタクトに夫々接触接続されるとともに、グラウンドコンタクトがリセプタクルコネクタにおけるリセプタクル側グラウンドコンタクトに接触接続されるプラグコネクタとして機能するものであって、グラウンド連結部材をグラウンドコンタクトに電気的に接続するにあたり、特殊なグラウンド連結部材を必要とせず、製造コストが嵩む事態を回避でき、しかも、全体の大型化がまねかれることになる不都合を伴わないコネクタ装置を提供する。
【課題を解決するための手段】
【００１５】
本願の特許請求の範囲における請求項１から請求項５までのいずれかに記載された発明（以下、本発明という。）に係るコネクタ装置は、リセプタクルコネクタに設けられた嵌合凹部に挿入されるべく、第１の方向に伸びる嵌合凸部を形成する絶縁ハウジングと、各々が嵌合凸部に配される接触部を有するものとされて第１の方向に配列配置され、複数の同軸ケーブルのシグナル導体が夫々接続されて、接触部がリセプタクルコネクタに配されたリセプタクル側シグナルコンタクトに接触するものとされる複数のシグナルコンタクトと、嵌合凸部に配される接触部を有するものとされ、その接触部がリセプタクルコネクタに配されたリセプタクル側グラウンドコンタクトに接触するものとされるグラウンドコンタクトと、複数のシグナルコンタクトに夫々接続されるシグナル導体を有した複数の同軸ケーブルのグラウンド導体を電気的に連結するグラウンド連結部材と、絶縁ハウジングにインサート成形により部分的に埋め込まれ、絶縁ハウジングにより保持されて第１の方向に伸びる帯状部を有し、グラウンド連結部材との電気的接続がなされる導電性シェルとを備えて成り、導電性シェルが、帯状部における第１の方向に沿う一対の対向側縁部のうちの一方であって絶縁ハウジングに埋め込まれる部分を有する側縁部から絶縁ハウジングの外部へと突出するものとして形成され、グラウンドコンタクトに電気的に接続される接続片部を有することを特徴とする。
【００１６】
特に、本発明に係るコネクタ装置のうちの請求項４に記載されたものにあっては、グラウンドコンタクトが、絶縁ハウジングが形成される際に、その絶縁ハウジングに導電性シェルと共にインサート成形により配置される。
【００１７】
上述のように構成される本発明に係るコネクタ装置にあっては、絶縁ハウジングに配された複数のシグナルコンタクトの配列方向が第１の方向とされるもとで、絶縁ハウジングにインサート成形により部分的に埋め込まれ、絶縁ハウジングにより保持されて第１の方向に伸びる帯状部を有して設けられ、複数のシグナルコンタクトに夫々接続されるシグナル導体を有した複数の同軸ケーブルのグラウンド導体を電気的に連結するグラウンド連結部材との電気的接続がなされる導電性シェルが、その帯状部における第１の方向に沿う一対の対向側縁部のうちの一方であって絶縁ハウジングに埋め込まれる部分を有する側縁部から絶縁ハウジングの外部へと突出するものとして形成された接続片部を有している。そして、この接続片部が、絶縁ハウジングに配されたグラウンドコンタクトに電気的に接続され、それにより、グラウンド連結部材が導電性シェルを介してグラウンドコンタクトに電気的に接続される状態が得られる。
【００１８】
絶縁ハウジングに配されて導電性シェルの接続片部との電気的接続がなされるグラウンドコンタクトは、例えば、請求項４に記載された本発明に係るコネクタ装置におけるもののように、絶縁ハウジングが形成される際に、その絶縁ハウジングに、埋込み部及び接続片部を有する導電性シェルと共にインサート成形により配置される。
【００１９】
また、導電性シェルとグラウンド連結部材との電気的接続は、導電性シェルがグラウンド連結部材に接触接続されることにより、あるいは、絶縁ハウジング，複数のシグナルコンタクト，グラウンドコンタクト，グラウンド連結部材及び導電性シェルを部分的に覆う導電性カバーが備えられる場合には、その導電性カバーを介在させて、行われる。
【発明の効果】
【００２０】
上述のような本発明に係るコネクタ装置にあっては、複数のシグナルコンタクトに夫々接続されるシグナル導体を有した複数の同軸ケーブルのグラウンド導体を電気的に連結するグラウンド連結部材を、リセプタクルコネクタに配されたリセプタクル側グラウンドコンタクトに接触する接触部を有するグラウンドコンタクトに電気的に接続するにあたり、絶縁ハウジングにインサート成形により部分的に埋め込まれ、絶縁ハウジングにより保持されて第１の方向に伸びる帯状部とその帯状部における絶縁ハウジングに埋め込まれる部分を有した側縁部から絶縁ハウジングの外部へと突出するものとして形成された接続片部とを有し、グラウンド連結部材との電気的接続がなされる導電性シェルが用いられ、導電性シェルが有する接続片部がグラウンドコンタクトに電気的に接続されることにより、グラウンド連結部材が導電性シェルを介してグラウンドコンタクトに電気的に接続される状態が得られる。従って、グラウンド連結部材をグラウンドコンタクトに電気的に接続するにあたって、特殊なグラウンド連結部材を必要とせず、製造コストが嵩む事態を回避できる。
【００２１】
また、本発明に係るコネクタ装置にあっては、導電性シェルが有する接続片部との電気的接続がなされるグラウンドコンタクトは、例えば、絶縁ハウジングが形成される際に、その絶縁ハウジングに、埋込み部及び接続片部を有する導電性シェルと共にインサート成形により配置されるので、導電性シェルが有する接続片部とグラウンドコンタクトとは、正確に位置決めされるとともに相互間の位置ズレが生じないものとされて絶縁ハウジングに配される。従って、導電性シェルが有する接続片部とグラウンドコンタクトとの正確な位置合せ及びその後の位置ズレ防止のための作業を必要とすることなく、接続片部がグラウンドコンタクトに電気的に接続された状態を得ることができ、それによっても、製造コストが嵩む事態を回避できる。
【００２２】
さらに、本発明に係るコネクタ装置にあっては、導電性シェルが有する接続片部及びグラウンドコンタクトのいずれをも、弾性を有していて、接触相手に対して弾性押圧力を作用させるものとする必要がない。それゆえ、導電性シェルが有する接続片部及びグラウンドコンタクトの夫々は、弾性を活かすための形状，比較的大なる寸法，周囲スペース等を必要としない、十分な小型化を図れるものとなり、従って、本発明に係るコネクタ装置は、全体の大型化がまねかれるという不都合を伴わないことになる。
【図面の簡単な説明】
【００２３】
【図１】本発明に係るコネクタ装置の一例をそれに連結された同軸ケーブルと共に示す上方から見た斜視図である。
【図２】本発明に係るコネクタ装置の一例をそれに連結された同軸ケーブルと共に示す下方から見た斜視図である。
【図３】本発明に係るコネクタ装置の一例が備える導電性シェルを示す斜視図である。
【図４】本発明に係るコネクタ装置の一例を導電性カバーが取り外された状態をもって示す斜視図である。
【図５】本発明に係るコネクタ装置の一例を導電性カバーが取り外された状態をもって示す斜視図である。
【図６】本発明に係るコネクタ装置の一例を導電性カバーが取り外されて複数の同軸ケーブルが連結された状態をもって示す斜視図である。
【図７】本発明に係るコネクタ装置の一例が嵌合接続されるリセプタクルコネクタの一例を示す斜視図である。
【図８】本発明に係るコネクタ装置の一例が嵌合接続されるリセプタクルコネクタの一例を示す斜視図である。
【図９】導電性カバーが取り外されて複数の同軸ケーブルが連結された本発明に係るコネクタ装置の一例が図８に示されるリセプタクルコネクタに嵌合接続された状態を示す斜視図である。
【図１０】図９における一点鎖線枠Ｘ内を拡大して示す部分斜視図である。
【図１１】本発明に係るコネクタ装置の一例が図８に示されるリセプタクルコネクタに嵌合接続される直前の状態を示す断面図である。
【図１２】本発明に係るコネクタ装置の一例が図８に示されるリセプタクルコネクタに嵌合接続される直前の状態を示す部分斜視図である。
【図１３】本発明に係るコネクタ装置の一例が図８に示されるリセプタクルコネクタに嵌合接続された状態を示す断面図である。
【図１４】本発明に係るコネクタ装置の一例とそれが嵌合接続された図８に示されるリセプタクルコネクタとにおける、図９における断面線 XIV−XIV があらわす断面に対応する断面を示す断面図である。
【発明を実施するための最良の形態】
【００２４】
本発明を実施するための最良の形態は、以下に述べられる本発明についての実施例をもって説明される。
【実施例】
【００２５】
図１（上方から見た斜視図）及び図２（下方から見た斜視図）は、本発明に係るコネクタ装置の一例を、それに連結された複数の同軸ケーブルと共に示す。
【００２６】
図１及び図２において、本発明に係るコネクタ装置の一例を成すコネクタ装置１１は、例えば、ソリッド配線基板等に取り付けられて当該ソリッド配線基板との電気的接続がなされたリセプタクルコネクタに対する嵌合接続に供される、プラグコネクタとして用いられるものとされており、合成樹脂等の絶縁材料によって形成された絶縁ハウジング１２、及び、外部からの電磁波ノイズ対策のためのシールド作用を及ぼすべく、絶縁ハウジング１２の上面側を略全体的に覆うものとされた金属製の導電性カバー１３を備えている。
【００２７】
絶縁ハウジング１２は、ソリッド配線基板等に取り付けられるリセプタクルコネクタに設けられた嵌合凹部に挿入されるべく、絶縁ハウジング１２の長手方向に伸びる嵌合凸部１４を形成している。嵌合凸部１４は、絶縁ハウジング１２からその外方に突出するものとして形成され、嵌合凸部１４の長手方向（絶縁ハウジング１２の長手方向）に伸びる、当該長手方向に直交する方向において相互対向する一対の対向側壁面部を有している。
【００２８】
絶縁ハウジング１２には、夫々が絶縁ハウジング１２の長手方向に沿って配列配置される複数のシグナルコンタクト１５と複数のシグナルコンタクト１６とが設けられている。複数のシグナルコンタクト１５の夫々は、絶縁ハウジング１２が形成する嵌合凸部１４における一対の対向側壁面部の一方に、その外面に露出するものとして配される部分を有しており、また、複数のシグナルコンタクト１６の夫々は、絶縁ハウジング１２が形成する嵌合凸部１４における一対の対向側壁面部の他方に、その外面に露出するものとして配される部分を有している。
【００２９】
複数のシグナルコンタクト１５の夫々が有する、嵌合凸部１４における一対の対向側壁面部の一方の外面に露出するものとして配される部分は、リセプタクルコネクタの嵌合凹部形成部に設けられたリセプタクル側シグナルコンタクトに接触する接触部とされており、また、複数のシグナルコンタクト１６の夫々が有する、嵌合凸部１４における一対の対向側壁面部の他方の外面に露出するものとして配される部分は、リセプタクルコネクタの嵌合凹部形成部に設けられたリセプタクル側シグナルコンタクトに接触する接触部とされている。従って、複数のシグナルコンタクト１５が夫々有する複数の接触部が、嵌合凸部１４における一対の対向側壁面部の一方に絶縁ハウジング１２の長手方向に沿って配列配置されるとともに、複数のシグナルコンタクト１６が夫々有する複数の接触部が、嵌合凸部１４における一対の対向側壁面部の他方に絶縁ハウジング１２の長手方向に沿って配列配置されており、複数のシグナルコンタクト１５の接触部の配列と複数のシグナルコンタクト１６の接触部の配列とは、絶縁ハウジング１２の長手方向に直交する方向において相互対向していることになる。
【００３０】
このような各々が接触部を有して配列配置される複数のシグナルコンタクト１５と各々が接触部を有して配列配置される複数のシグナルコンタクト１６とは、予め定められた配置関係のもとにおかれる。即ち、図２に明瞭に示されるように、配列配置される複数のシグナルコンタクト１５が、配列配置される複数のシグナルコンタクト１６のうちの相互隣接する２個の間の部位に対向する部位に配置されるのである。それにより、複数のシグナルコンタクト１５と複数のシグナルコンタクト１６とが所定の相互間隔をおいて交互に配列配置されていることになる。
【００３１】
また、絶縁ハウジング１２には、図２に示されるように、嵌合凸部１４の長手方向、即ち、複数のシグナルコンタクト１５及び複数のシグナルコンタクト１６の配列方向（以下、コンタクト配列方向という。）における略中央部分に対応する位置に、グラウンドコンタクト１７が設けられている。このグラウンドコンタクト１７は、絶縁ハウジング１２における複数のシグナルコンタクト１５と複数のシグナルコンタクト１６との配列配置の中央部となる位置に配されていることになる。そして、グラウンドコンタクト１７も、絶縁ハウジング１２が形成する嵌合凸部１４における一対の対向側壁面部の一方に、その外面に露出するものとして配される部分を有しており、斯かるグラウンドコンタクト１７の部分は、リセプタクルコネクタの嵌合凹部形成部に設けられたリセプタクル側グラウンドコンタクトに接触する接触部とされている。斯かるグラウンドコンタクト１７の接触部は、嵌合凸部１４における一対の対向側壁面部の一方において、複数のシグナルコンタクト１５が夫々有する複数の接触部の配列の中央部となる位置に配されている。
【００３２】
なお、上述の図１及び図２に示される本発明に係るコネクタ装置の一例を成すコネクタ装置１１においては、グラウンドコンタクト１７は、複数のシグナルコンタクト１５の夫々と同一のものとされているが、本発明に係るコネクタ装置にあっては、グラウンドコンタクト１７を、複数のシグナルコンタクト１６の夫々と同一のものとすることもできる。また、上述の本発明に係るコネクタ装置の一例を成すコネクタ装置１１においては、グラウンドコンタクト１７が、複数のシグナルコンタクト１５と複数のシグナルコンタクト１６との配列配置の中央部となる位置に１個だけ配されているが、本発明に係るコネクタ装置にあっては、１個のグラウンドコンタクト１７が、複数のシグナルコンタクト１５と複数のシグナルコンタクト１６との配列中における中央部以外の位置に設けられてもよく、さらには、複数個のグラウンドコンタクト１７が、複数のシグナルコンタクト１５と複数のシグナルコンタクト１６との配列中に分散配置されて設けられてもよい。
【００３３】
複数のシグナルコンタクト１５，複数のシグナルコンタクト１６及びグラウンドコンタクト１７は、例えば、燐青銅板材とされる金属材料によって形成される。
【００３４】
さらに、絶縁ハウジング１２には、それにインサート成形により部分的に埋め込まれて保持され、嵌合凸部１４の長手方向、即ち、コンタクト配列方向に伸びるものとされた部分を含んだ金属製の導電性シェル１８が設けられている。導電性シェル１８は、図３に示されるように、絶縁ハウジング１２にインサート成形により部分的に埋め込まれて保持され、コンタクト配列方向に伸びるものとされた部分である帯状部１９を有している。この導電性シェル１８の帯状部１９を挟む両端部の夫々には、導電性カバー１３のコンタクト配列方向における両端部に夫々連結されるカバー連結部２０と、ソリッド配線基板等に取り付けられるリセプタクルコネクタが備えるリセプタクル側導電性シェルに接触接続されるシェル接続部２１が設けられている。
【００３５】
導電性シェル１８に設けられたシェル接続部２１が、ソリッド配線基板等に取り付けられたリセプタクルコネクタが備えるリセプタクル側導電性シェルに接触接続されるときには、導電性シェル１８に、リセプタクルコネクタの取付けがなされたソリッド配線基板等からのグラウンド電位が、リセプタクル側導電性シェル及びシェル接続部２１を通じて与えられる。それにより、導電性シェル１８にそれに設けられたカバー連結部２０を介して連結される導電性カバー１３にもグラウンド電位が与えられる。
【００３６】
そして、導電性シェル１８は、その帯状部１９におけるコンタクト配列方向に沿う一対の対向側縁部の一方であって絶縁ハウジング１２に埋め込まれる部分１９ａを有する側縁部１９Ａから絶縁ハウジング１２の外部へと突出するものとして形成された接続片部２２を有している。この導電性シェル１８に形成された接続片部２２は、絶縁ハウジング１２に配されたグラウンドコンタクト１７に電気的に接続される。それにより、上述のようにして導電性シェル１８にグラウンド電位が与えられるときには、そのグラウンド電位が、導電性シェル１８に形成された接続片部２２が電気的に接続されるグラウンドコンタクト１７に接続片部２２を通じて与えられる。
【００３７】
なお、上述の図１及び図２に示される本発明に係るコネクタ装置の一例を成すコネクタ装置１１においては、導電性シェル１８の帯状部１９におけるコンタクト配列方向に沿う一対の対向側縁部の一方に１個の接続片部２２が形成されていて、それがグラウンドコンタクト１７に電気的に接続されているが、本発明に係るコネクタ装置にあっては、複数個のグラウンドコンタクト１７が設けられるもとにおいて、導電性シェル１８の帯状部１９におけるコンタクト配列方向に沿う一対の対向側縁部の一方に、複数個の接続片部２２が所定の相互間隔をおいて形成され、それらが複数個のグラウンドコンタクト１７に夫々電気的に接続されるものとされてもよい。
【００３８】
また、導電性シェル１８は、図２に示されるように、その帯状部１９におけるコンタクト配列方向に沿う一対の対向側縁部の他方である側縁部１９Ｂから屈曲して伸び、コンタクト配列方向に広がる屈曲部２３を有している。この屈曲部２３は、導電性シェル１８における補強部材の役割を果たすとともに、後述されるようにコネクタ装置１１がリセプタクルコネクタに嵌合接続されるときには、リセプタクルコネクタが備えるリセプタクルコネクタ側絶縁ハウジングにおけるリセプタクル側導電性シェルにより覆われていない部分を覆って、当該部分に外部からの電磁波ノイズ対策のためのシールド作用を及ぼす。
【００３９】
上述の複数のシグナルコンタクト１５，複数のシグナルコンタクト１６及びグラウンドコンタクト１７は、絶縁ハウジング１２が形成される際に、その絶縁ハウジング１２に導電性シェル１８と共にインサート成形により配置される。そして、斯かるインサート成形時に、導電性シェル１８に形成された接続片部２２が、グラウンドコンタクト１７に当接して電気的に接続される状態をとるものとされる。このようにして、絶縁ハウジング１２に設けられる複数のシグナルコンタクト１５，複数のシグナルコンタクト１６，グラウンドコンタクト１７及び導電性シェル１８は、絶縁ハウジング１２の上面側を略全体的に覆うものとされた金属製の導電性カバー１３によって部分的に覆われる。
【００４０】
図４及び図５は、上述のような導電性シェル１８が設けられた絶縁ハウジング１２を備えたコネクタ装置１１を、導電性カバー１３が取り外された状態をもって示す。図４及び図５においては、絶縁ハウジング１２により保持されてコンタクト配列方向に伸びる帯状部１９を有した導電性シェル１８が示されており、導電性シェル１８に設けられたシェル接続部２１が、絶縁ハウジング１２の外部に導出されている。また、図４に示されるように、絶縁ハウジング１２の上面側において、複数のシグナルコンタクト１５と複数のシグナルコンタクト１６とが絶縁ハウジング１２の長手方向に沿って交互に配列配置されており、その配列の中央部にグラウンドコンタクト１７が配されている。そして、グラウンドコンタクト１７には、導電性シェル１８に形成されて絶縁ハウジング１２の外部へと突出する接続片部２２が、その上方から当接して電気的に接続されている。
【００４１】
このようなコネクタ装置１１にあっては、複数の同軸ケーブル３０が連結される。これらの同軸ケーブル３０は、図１及び図２に示されるように、絶縁ハウジング１２の長手方向に並べられて全体として板状体を成すものとされる。
【００４２】
コネクタ装置１１を導電性カバー１３が取り外されて複数の同軸ケーブル３０が連結された状態をもって示す図６に示されるように、複数の同軸ケーブル３０は、それらのうちの一つ置きのものにおけるシグナル導体３１が、複数のシグナルコンタクト１５に夫々連結されるとともに、他の一つ置きのものにおけるシグナル導体３１が、複数のシグナルコンタクト１６に夫々接続される状態におかれる。また、複数の同軸ケーブル３０の夫々のグラウンド導体３２が、それらに対して共通に設けられた、コンタクト配列方向に伸びるグラウンド連結部材３３によって電気的に連結される。
【００４３】
グラウンド連結部材３３は一対設けられており、２個のグラウンド連結部材３３は、複数の同軸ケーブル３０の夫々のグラウンド導体３２に、それらを絶縁ハウジング１２についての上下方向において挟んで当接しており、必要に応じて、２個のグラウンド連結部材３３の夫々と複数の同軸ケーブル３０の夫々のグラウンド導体３２との半田付けが行われる。以下、これら２個のグラウンド連結部材３３のうちの図６において上側に配されているものを、上側グラウンド連結部材３３と言い、図６において下側に配されているものを、下側グラウンド連結部材３３と言うこととする。
【００４４】
上側グラウンド連結部材３３は、コネクタ装置１１が備える図１及び図２に示される導電性カバー１３の内面部に当接し、必要に応じて、上側グラウンド連結部材３３と導電性カバー１３との半田付けが、導電性カバー１３に設けられた透孔１３ａ（図１）を通じて溶融半田が流し込まれて行われ、それにより、上側グラウンド連結部材３３が、導電性カバー１３との電気的接続がなされた状態におかれる。また、下側グラウンド連結部材３３は、絶縁ハウジング１２により保持された導電性シェル１８における帯状部１９に当接して、その帯状部１９との電気的接続がなされる。但し、下側グラウンド連結部材３３と導電性シェル１８における帯状部１９との直接的な電気的接続は、必ず必要というものではなく、導電性シェル１８が、それに設けられたカバー連結部２０によって連結される導電性カバー１３を介して、上側グラウンド連結部材３３との電気的接続がなされるものとされてもよい。
【００４５】
上述のようにしてコネクタ装置１１に複数の同軸ケーブル３０が連結されたもとにあっては、絶縁ハウジング１２により保持された導電性シェル１８における帯状部１９が、複数の同軸ケーブル３０を、下側グラウンド連結部材３３を介して支持する役割を果たす。
【００４６】
このようなもとで、例えば、複数のシグナルコンタクト１５に複数の同軸ケーブル３０の一つ置きのものを通じた信号が供給され、また、複数のシグナルコンタクト１６に複数の同軸ケーブル３０の他の一つ置きのものを通じた信号が供給される。その際、上側グラウンド連結部材３３は、それに導電性カバー１３を通じてグラウンド電位が与えられ、そのグラウンド電位を複数の同軸ケーブル３０の夫々のグラウンド導体３２に伝達する。一方、下側グラウンド連結部材３３は、それと導電性シェル１８における帯状部１９との電気的接続がなされるときには、それに導電性シェル１８を通じてグラウンド電位が与えられ、そのグラウンド電位を複数の同軸ケーブル３０の夫々のグラウンド導体３２に伝達し、また、それと導電性シェル１８における帯状部１９との電気的接続がなされないときには、導電性カバー１３及び上側グラウンド連結部材３３を通じたグラウンド電位の複数の同軸ケーブル３０の夫々のグラウンド導体３２への伝達に寄与する。
【００４７】
上述のようなコネクタ装置１１によれば、導電性シェル１８に形成された接続片部２２が、グラウンドコンタクト１７に当接して電気的に接続される状態をとるものとされることにより、グラウンド連結部材３３をグラウンドコンタクト１７に電気的に接続するにあたって、特殊なグラウンド連結部材等を必要とすることなく、グラウンド連結部材３３とグラウンドコンタクト１７との電気的接続を容易かつ確実に行えることになって、それにより、製造コストが嵩む事態を回避できる。また、導電性シェル１８に形成された接続片部２２とグラウンドコンタクト１７との正確な位置合せ及びその後の位置ズレ防止のための作業を必要とすることなく、接続片部２２がグラウンドコンタクト１７に電気的に接続された状態を得ることができ、それによっても、製造コストが嵩む事態を回避できる。
【００４８】
さらに、コネクタ装置１１によれば、導電性シェル１８に形成される接続片部２２及びグラウンドコンタクト１７のいずれをも、弾性を有していて、接触相手に対して弾性押圧力を作用させるものとする必要がない。それゆえ、導電性シェル１８に形成される接続片部２２及びグラウンドコンタクト１７の夫々は、弾性を活かすための形状，比較的大なる寸法，周囲スペース等を必要としない、十分な小型化を図れるものとなり、従って、コネクタ装置１１は、全体の大型化がまねかれるという不都合を伴わないものとなる。
【００４９】
図７及び図８は、上述のコネクタ装置１１が嵌合接続されるリセプタクルコネクタの一例を成すリセプタクルコネクタ４１を示す。
【００５０】
図７及び図８において、リセプタクルコネクタ４１は、例えば、ソリッド配線基板（図示省略）に、それに設けられた電気回路構成部との電気的接続がなされて取り付けられるものとされ、合成樹脂等の絶縁材料によって形成されたリセプタクル側絶縁ハウジング４２、及び、外部からの電磁波ノイズ対策のためリセプタクル側絶縁ハウジング４２の外面部を部分的に覆うものとされた、金属製のリセプタクル側導電性シェル４３を備えている。リセプタクル側絶縁ハウジング４２は、コネクタ装置１１における絶縁ハウジング１２が形成する嵌合凸部１４が嵌合挿入される、リセプタクル側絶縁ハウジング４２の長手方向に伸びる嵌合凹部４４を形成している。
【００５１】
リセプタクル側絶縁ハウジング４２における嵌合凹部４４を形成する部分、即ち、リセプタクルコネクタ４１の嵌合凹部形成部分には、コネクタ装置１１における複数のシグナルコンタクト１５における接触部が夫々接触することになる複数のリセプタクル側シグナルコンタクト４５が、リセプタクル側絶縁ハウジング４２の長手方向に沿って配列配置されているとともに、コネクタ装置１１における複数のシグナルコンタクト１６における接触部が夫々接触することになる複数のリセプタクル側シグナルコンタクト４６も、リセプタクル側絶縁ハウジング４２の長手方向に沿って配列配置されている。そして、配列配置される複数のリセプタクル側シグナルコンタクト４５が、配列配置される複数のリセプタクル側シグナルコンタクト４６のうちの相互隣接する２個の間の部位に対向する部位に配置される。それにより、複数のリセプタクル側シグナルコンタクト４５が所定の相互間隔をおいて配列配置されるとともに、複数のリセプタクル側シグナルコンタクト４６が所定の相互間隔をおいて配列配置されることになり、複数のリセプタクル側シグナルコンタクト４５の配列と複数のリセプタクル側シグナルコンタクト４６の配列とは、リセプタクル側絶縁ハウジング４２の長手方向に直交する方向において相互対向している。
【００５２】
さらに、リセプタクルコネクタ４１の嵌合凹部形成部分には、コネクタ装置１１におけるグラウンドコンタクト１７における接触部が接触することになるリセプタクル側グラウンドコンタクト４７が、リセプタクル側絶縁ハウジング４２の長手方向、即ち、複数のリセプタクル側シグナルコンタクト４５及び複数のリセプタクル側シグナルコンタクト４６の配列方向（以下、リセプタクル側コンタクト配列方向という。）における略中央に対応する位置に設けられている。このリセプタクル側グラウンドコンタクト４７は、リセプタクルコネクタ４１の嵌合凹部形成部分における、リセプタクル側コンタクト配列方向に沿った複数のリセプタクル側シグナルコンタクト４５の配列配置の中央部となる位置に配されていることになる。
【００５３】
なお、上述の図７及び図８に示される、コネクタ装置１１が嵌合接続されるリセプタクルコネクタの一例を成すリセプタクルコネクタ４１においては、リセプタクル側グラウンドコンタクト４７が、リセプタクル側コンタクト配列方向における略中央に対応する位置に１個だけ設けられているが、コネクタ装置１１が嵌合接続されるリセプタクルコネクタにあっては、１個のリセプタクル側グラウンドコンタクト４７が、リセプタクル側コンタクト配列方向における略中央に対応する位置以外の位置に設けられていてもよく、さらには、複数個のリセプタクル側グラウンドコンタクト４７が、リセプタクル側コンタクト配列方向において分散配置されて設けられてもよい。
【００５４】
複数のリセプタクル側シグナルコンタクト４５の夫々は、リセプタクルコネクタ４１が取り付けられたソリッド配線基板に設けられた電気回路構成部に接続される接続端子４５ａを有しているとともに、複数のリセプタクル側シグナルコンタクト４６の夫々は、リセプタクルコネクタ４１が取り付けられたソリッド配線基板に設けられた電気回路構成部に接続される接続端子４６ａを有しており、さらに、リセプタクル側グラウンドコンタクト４７は、リセプタクルコネクタ４１が取り付けられたソリッド配線基板に設けられた電気回路構成部に接続される接続端子４７ａを有している。
【００５５】
リセプタクル側導電性シェル４３は、リセプタクル側絶縁ハウジング４２における嵌合凹部４４の周囲となる部分を部分的に覆っている。そして、リセプタクル側導電性シェル４３には、そのリセプタクル側コンタクト配列方向における両端部に、コネクタ装置１１が備える導電性シェル１８に設けられた複数のシェル接続部２１に夫々接触接続されるものとされる複数のリセプタクル側シェル接続部５０が設けられている。また、リセプタクル側導電性シェル４３におけるリセプタクル側コンタクト配列方向における両端部には、リセプタクルコネクタ４１が取り付けられたソリッド印刷配線基板に設けられたグラウンド電位部に、例えば、半田付けにより接続される複数のグラウンド接続端子部５１も設けられている。
【００５６】
リセプタクル側絶縁ハウジング４２における嵌合凹部４４の周囲となる部分のうちの複数のリセプタクル側シグナルコンタクト４６の配列側の部分は、リセプタクル側導電性シェル４３に覆われることなく、リセプタクル側絶縁ハウジング４２における嵌合凹部４４の周囲となる部分のうちの複数のリセプタクル側シグナルコンタクト４５の配列側の部分より低くされた低背部を形成している。そして、複数の同軸ケーブル３０が連結されたコネクタ装置１１が備える絶縁ハウジング１２が形成する嵌合凸部１４が嵌合凹部４４に嵌合挿入されたとき、コネクタ装置１１における、複数の同軸ケーブル３０を支持する状態におかれた導電性シェル１８における帯状部１９を含む部分が、当該低背部に収められる。
【００５７】
上述のようなリセプタクルコネクタ４１に、複数の同軸ケーブル３０が連結されたコネクタ装置１１が嵌合接続されるときには、コネクタ装置１１の絶縁ハウジング１２が形成する嵌合凸部１４が、リセプタクルコネクタ４１のリセプタクル側絶縁ハウジング４２及びリセプタクル側導電性シェル４３が形成する嵌合凹部４４に嵌合挿入される。
【００５８】
図９は、導電性カバー１３が取り外されて複数の同軸ケーブル３０が連結されたコネクタ装置１１が、リセプタクルコネクタ４１に嵌合接続された状態を示す。そして、図９における一点鎖線枠Ｘ内の部分が、図１０において拡大図示されている。
【００５９】
図１０においては、コネクタ装置１１において、複数の同軸ケーブル３０のうちの一つ置きのものにおけるシグナル導体３１が、絶縁ハウジング１２に配列配置された複数のシグナルコンタクト１５に夫々連結されるとともに、複数の同軸ケーブル３０のうちの他の一つ置きのものにおけるシグナル導体３１が、絶縁ハウジング１２に配列配置された複数のシグナルコンタクト１６に夫々接続された状態，複数の同軸ケーブル３０の夫々のグラウンド導体３２が、それらに対して共通に設けられた、コンタクト配列方向に伸びる一対のグラウンド連結部材３３によって電気的に連結された状態、及び、絶縁ハウジング１２により保持された導電性シェル１８における帯状部１９から絶縁ハウジング１２の外部に突出するものとして形成された接続片部２２が、絶縁ハウジング１２に配されたグラウンドコンタクト１７に当接して電気的に接続された状態が、明瞭に示されている。
【００６０】
リセプタクルコネクタ４１に複数の同軸ケーブル３０が連結されたコネクタ装置１１が嵌合接続される直前にあっては、図１１に示されるように、複数の同軸ケーブル３０が連結されたコネクタ装置１１が、それにおける嵌合凸部１４がリセプタクルコネクタ４１における嵌合凹部４４に対応する位置をとるようにして、リセプタクルコネクタ４１に対向するものとされる。このとき、コネクタ装置１１においては、絶縁ハウジング１２により保持されて複数の同軸ケーブル３０を下側グラウンド連結部材３３を介して支持する、導電性シェル１８の帯状部１９から、絶縁ハウジング１２の外部へと突出するものとして形成された接続片部２２が、グラウンドコンタクト１７に電気的に接続されており、そのグラウンドコンタクト１７が、その接触部を、リセプタクルコネクタ４１における嵌合凹部形成部に配されたリセプタクル側グラウンドコンタクト４７に対応する位置をとる状態におかれる。
【００６１】
また、このとき、図１２に示されるように、コネクタ装置１１における導電性シェル１８の帯状部１９を挟む両端部の夫々に設けられたシェル接続部２１が、リセプタクルコネクタ４１におけるリセプタクル側導電性シェル４３のリセプタクル側コンタクト配列方向における両端部の夫々に設けられたリセプタクル側シェル接続部５０に対応する位置をとる状態におかれる。
【００６２】
その後、リセプタクルコネクタ４１に複数の同軸ケーブル３０が連結されたコネクタ装置１１を嵌合接続させるべく、コネクタ装置１１の絶縁ハウジング１２が形成する嵌合凸部１４が、リセプタクルコネクタ４１のリセプタクル側絶縁ハウジング４２及びリセプタクル側導電性シェル４３が形成する嵌合凹部４４に嵌合挿入されると、図１３に示されるように、コネクタ装置１１における導電性シェル１８の帯状部１９から、絶縁ハウジング１２の外部へと突出するものとして形成された接続片部２２が電気的に接続されたグラウンドコンタクト１７が、その接触部をリセプタクルコネクタ４１における嵌合凹部形成部に配されたリセプタクル側グラウンドコンタクト４７に接触して、リセプタクル側グラウンドコンタクト４７に電気的に接続された状態におかれる。それにより、リセプタクルコネクタ４１が取り付けられたソリッド配線基板からのグラウンド電位が、リセプタクルコネクタ４１におけるリセプタクル側グラウンドコンタクト４７，コネクタ装置１１におけるグラウンドコンタクト１７及び導電性シェル１８の帯状部１９に形成された接続片部２２を通じて、導電性シェル１８に与えられる。そして、導電性シェル１８に与えられるグラウンド電位は、さらに、下側グラウンド連結部材３３あるいはコネクタ装置１１の導電性カバー１３及び下側グラウンド連結部材３３を通じて、複数の同軸ケーブル３０の夫々のグラウンド導体３２に与えられる。
【００６３】
また、このとき、図１４に示されるように、コネクタ装置１１における導電性シェル１８の帯状部１９を挟む両端部の夫々に設けられたシェル接続部２１が、リセプタクルコネクタ４１におけるリセプタクル側導電性シェル４３のリセプタクル側コンタクト配列方向における両端部の夫々に設けられたリセプタクル側シェル接続部５０に接触接続される。それにより、コネクタ装置１１における導電性シェル１８に、リセプタクルコネクタ４１の取付けがなされたソリッド配線基板等からのグラウンド電位が、リセプタクル側導電性シェル４３，リセプタクル側シェル接続部５０及び導電性シェル１８の帯状部１９に設けられたシェル接続部２１を通じて与えられる。それにより、導電性シェル１８にそれに設けられたカバー連結部２０を介して連結される導電性カバー１３にもグラウンド電位が与えられる。
【００６４】
このようにして、リセプタクルコネクタ４１に複数の同軸ケーブル３０が連結されたコネクタ装置１１が嵌合接続されたもとにあっては、コネクタ装置１１における導電性シェル１８に、それにおける複数の箇所から、リセプタクルコネクタ４１の取付けがなされたソリッド配線基板等からのグラウンド電位が与えられることになり、導電性シェル１８についての良好なグラウンド特性が得られる。
【００６５】
なお、上述のようにして、リセプタクルコネクタ４１に複数の同軸ケーブル３０が連結されたコネクタ装置１１が嵌合接続されたもとにあっては、図示が省略されているが、コネクタ装置１１における絶縁ハウジング１２に配列配置された複数のシグナルコンタクト１５の接触部が、リセプタクルコネクタ４１の嵌合凹部形成部分に配列配置された複数のリセプタクル側シグナルコンタクト４５に夫々当接接触して、複数のシグナルコンタクト１５と複数のリセプタクル側シグナルコンタクト４５とが電気的接続状態におかれ、また、コネクタ装置１１における絶縁ハウジング１２に配列配置された複数のシグナルコンタクト１６の接触部が、リセプタクルコネクタ４１の嵌合凹部形成部分に配列配置された複数のリセプタクル側シグナルコンタクト４６に夫々当接接触して、複数のシグナルコンタクト１６と複数のリセプタクル側シグナルコンタクト４６とが電気的接続状態におかれる。それにより、複数の同軸ケーブル３０の夫々のシグナル導体３１が、コネクタ装置１１における複数のシグナルコンタクト１５及び複数のシグナルコンタクト１６、さらには、複数のリセプタクル側シグナルコンタクト４５及び複数のリセプタクル側シグナルコンタクト４６を通じて、リセプタクルコネクタ４１が取り付けられたソリッド配線基板に設けられた電気回路構成部に連結される。
【産業上の利用可能性】
【００６６】
以上のような本発明に係るコネクタ装置は、例えば、ソリッド印刷配線基板に取り付けられたリセプタクルコネクタとの差込接続に供されるプラグコネクタとして用いることができ、それに連結される複数の同軸ケーブルの夫々におけるグラウンド導体を電気的に連結するグラウンド連結部材とグラウンドコンタクトとの電気的接続を、特殊なグラウンド連結部材等を必要とすることなく、容易かつ確実に行うことができ、製造コストが嵩む事態を回避できるものとして、様々な電子機器等に広く適用され得るものである。
【符号の説明】
【００６７】
１１・・・コネクタ装置，  １２・・・絶縁ハウジング，  １３・・・導電性カバー，  １３ａ・・・透孔，  １４・・・嵌合凸部，  １５，１６・・・シグナルコンタクト，  １７・・・グラウンドコンタクト，  １８・・・導電性シェル，  １９・・・帯状部，１９Ａ，１９Ｂ・・・（帯状部１９の）側縁部，  ２０・・カバー連結部２０，  ２１・・・シェル接続部，  ２２・・・接続片部，  ３０・・・同軸ケーブル，  ３１・・・シグナル導体，  ３２・・・グラウンド導体，  ３３・・・グラウンド連結部材，  ４１・・・リセプタクルコネクタ，  ４２・・・リセプタクル側絶縁ハウジング，  ４３・・・リセプタクル側導電性シェル，  ４４・・・嵌合凹部，  ４５，４６・・・リセプタクル側シグナルコンタクト，  ４７・・・リセプタクル側グラウンドコンタクト，  ５０・・・リセプタクル側シェル接続部，  ５１・・・グラウンド接続端子部
【図１】
2011003393.tif 000003
【図２】
2011003393.tif 000004
【図３】
2011003393.tif 000005
【図４】
2011003393.tif 000006
【図５】
2011003393.tif 000007
【図６】
2011003393.tif 000008
【図７】
2011003393.tif 000009
【図８】
2011003393.tif 000010
【図９】
2011003393.tif 000011
【図１０】
2011003393.tif 000012
【図１１】
2011003393.tif 000013
【図１２】
2011003393.tif 000014
【図１３】
2011003393.tif 000015
【図１４】
2011003393.tif 000016